(57)【要約】ドラム洗濯機に対する発明が開示される。本発明のドラム洗濯機は、タブと、タブの内側に備わるドラムと、ドラムに連結されるシャフトと、シャフトを支持するベアリングと、ベアリングを支持するベアリングハウジングと、タブに固定されるベースとを備えており、前記ベアリングハウジングは、前記タブの後壁部から延長される後端部を含み、前記タブは、前記ベアリングハウジングの後端部の外周面に対向する延長部を含むことを特徴とする。本発明によると、従来の発明と異なり、ベースの形状を単純に構成するとともに、振動を効果的に分散させることができる。【選択図】図２
2010508882.tif 000002
【特許請求の範囲】
【請求項１】
タブと、
前記タブの内側に備わるドラムと、
前記ドラムに連結されるシャフトと、
前記シャフトを支持するベアリングと、
前記ベアリングを支持するベアリングハウジングと、
前記タブに固定されるベースと、を備えており、
前記ベアリングハウジングは、前記タブの後壁部から延長される後端部を含み、前記タブは、前記ベアリングハウジングの後端部の外周面に対向する延長部を含むことを特徴とするドラム洗濯機。
【請求項２】
前記延長部は、前記ベアリングハウジングの後端部の外周面に密着されるように構成されることを特徴とする請求項１に記載のドラム洗濯機。
【請求項３】
前記延長部は、前記ベアリングハウジングの後端部を取り囲む屈曲部を含むことを特徴とする請求項１に記載のドラム洗濯機。
【請求項４】
前記ベースは、前記延長部の外周面に対向する後端部を含むことを特徴とする請求項１に記載のドラム洗濯機。
【請求項５】
前記ベースの後端部は、前記ベアリングハウジングに直接接触しないように前記タブに固定されることを特徴とする請求項４に記載のドラム洗濯機。
【請求項６】
前記ベースの後端部は、前記延長部の外周面に密着されるように構成されることを特徴とする請求項５に記載のドラム洗濯機。
【請求項７】
前記ベアリングハウジングは、前記タブにインサート射出によって成形されることを特徴とする請求項１に記載のドラム洗濯機。
【請求項８】
前記ベースは後端部を含み、前記延長部は、前記ベースの後端部と前記ベアリングハウジングの後端部との間に配置されることを特徴とする請求項１に記載のドラム洗濯機。
【請求項９】
タブと、
前記タブの内側に備わるドラムと、
前記ドラムに連結されるシャフトと、
前記シャフトを支持するベアリングと、
前記ベアリングを支持するベアリングハウジングと、
前記タブに固定されるベースと、を備えており、
前記ベアリングハウジングは、前記タブの後壁を通して延長される後端部を含み、前記タブの後端部は、前記ベアリングハウジングの後端部の端面に少なくとも一部が対向するように形成されることを特徴とするドラム洗濯機。
【請求項１０】
前記延長部は、前記ベアリングハウジングの後端部の端面に隣接して対向することを特徴とする請求項９に記載のドラム洗濯機。
【請求項１１】
前記延長部は、前記ベアリングハウジングの端面を取り囲む屈曲部を含むことを特徴とする請求項９に記載のドラム洗濯機。
【請求項１２】
前記ベースは、前記延長部の外周面に対向する後端部を含むことを特徴とする請求項９に記載のドラム洗濯機。
【請求項１３】
前記ベースの後端部は、前記ベアリングハウジングに直接接触しないように前記タブに固定されることを特徴とする請求項１２に記載のドラム洗濯機。
【請求項１４】
前記ベースの後端部は、前記延長部の外周面に隣接して対向するように配列されることを特徴とする請求項１３に記載のドラム洗濯機。
【請求項１５】
前記ベアリングハウジングは、前記タブにインサート射出によって成形されることを特徴とする請求項９に記載のドラム洗濯機。
【請求項１６】
前記ベースは後端部を含み、前記延長部は、前記ベースの後端部と前記ベアリングハウジングの後端部との間に配置されることを特徴とする請求項９に記載のドラム洗濯機。
【発明の詳細な説明】
【技術分野】
【０００１】
本発明は、ドラム洗濯機に関するもので、より詳細には、駆動部の構造を改善したドラム洗濯機に関するものである。
【背景技術】
【０００２】
一般的に、ドラム洗濯機においては、内側にドラムが回転可能に設置されたタブ１０の下部側にモータープーリー及びドラムプーリーが設置され、モータープーリーとドラムプーリーを連結するベルトによってモーターの駆動力がドラムに伝達される。
【０００３】
このように、ベルトを通してモーターの駆動力がドラムに伝達されるので、エネルギーの伝達過程でエネルギー損失が発生し、動力伝達過程で騷音が多く発生するという問題点がある。
【０００４】
図１は、従来のドラム洗濯機の駆動部の一部を示した断面図である。
【０００５】
図１を参照すると、従来のドラム洗濯機は、タブ１０及びベース４０を備えている。タブ１０は、シャフトを支持するベアリングＢを有するベアリングハウジング３０の外側に位置し、ベース４０はタブ１０に結合される。上記のようなドラム洗濯機のベース４０は、タブ１０及びベアリングハウジング３０を取り囲むようにタブ１０及びベアリングハウジング３０の外側屈曲に沿って形成されるので、その形状が複雑である。
【０００６】
ベース４０の複雑な形状により、駆動部の各部品間の結合が容易でなくなる。すなわち、形状によってそれぞれ対応するように形成されるタブ１０、ベアリングハウジング３０及びベース４０などの駆動部の部品において互いに結合されるべき部分が多いので、ベース４０の複雑な形状により、各部品間の結合作業が容易でなくなる。
【０００７】
また、形状が複雑になることによって、タブ１０、ベアリングハウジング３０及びベース４０などの駆動部の部品を製造するときに発生する製品の歪みに対する誤差のために、結合部位の不一致が多く発生するようになる。屈曲が多いと歪み現象も多く発生するようになり、駆動部の部品の不良が多く発生するという問題点がある。したがって、このような問題を改善する必要性が要請される。
【発明の概要】
【発明が解決しようとする課題】
【０００８】
本発明は、上記のような必要性に応じてなされたもので、その目的は、駆動部の部品の構造を簡単にし、駆動部の部品の不良品生産を減少させることができるドラム洗濯機を提供することにある。
【０００９】
また、本発明の他の目的は、駆動部で発生する振動を分散させることができるドラム洗濯機を提供することにある。
【課題を解決するための手段】
【００１０】
本発明に係るドラム洗濯機は、タブと、前記タブの内側に備わるドラムと、前記ドラムに連結されるシャフトと、前記シャフトを支持するベアリングと、前記ベアリングを支持するベアリングハウジングと、前記タブに固定されるベースとを備えており、前記ベアリングハウジングは、前記タブの後壁部から延長される後端部を含み、前記タブは、前記ベアリングハウジングの後端部の外周面に対向する延長部を含むことを特徴とする。
【００１１】
また、前記延長部は、前記ベアリングハウジングの後端部の外周面に密着されるように構成される。このように延長部がベアリングハウジングの外周面に対向するように構成されることで、タブとベアリングハウジングとの接触面積が延長部の広さだけ広くなり、ベアリングハウジングを通して伝達される振動を分散させることができ、ベアリングハウジングに対する支持力を確保することができる。
【００１２】
前記延長部は、前記ベアリングハウジングの後端部を取り囲む屈曲部を含むことを特徴とする。このように延長部が構成されることで、ベアリングハウジングとタブとの間に埃や水分が投入されることを防止することができる。
【００１３】
前記ベースは、前記延長部の外周面に対向する後端部を含む。前記ベースの後端部は、前記ベアリングハウジングと直接接触しないように前記タブに固定される。また、前記ベースの後端部は、ベアリングハウジングを通して伝達される振動を分散し、前記延長部を支持するように、前記延長部の外周面に密着されるように構成されることが好ましい。
【００１４】
また、前記ベアリングハウジングは、前記タブにインサート射出によって成形されることが好ましい。
【発明の効果】
【００１５】
本発明に係るドラム洗濯機は、ベースの形状を単純に構成することで、生産費を節減するとともに、生産性を向上させることができる。
【００１６】
また、本発明は、ベースの形状を単純に構成することで、製造時に発生する歪みなどによる不良発生や、タブに結合するときの結合部位の不一致によって部品の使用が不可能になる問題を減少させることができる。
【００１７】
また、本発明は、タブとベアリングハウジングとの接触面積が延長部の広さだけ広くなることで、ベアリングハウジングを支持するタブの面積増加によって、伝達される振動を分散させることができる。振動を分散させることで、ドラム洗濯機の部品に伝達される力を減少させることができ、これによって、タブなどの部品の破損を減少させることができる。
【００１８】
また、本発明は、ベースがタブの延長部を支持することで、振動発生を減少させるとともに、発生する振動を分散させることができる。
【図面の簡単な説明】
【００１９】
【図１】従来のドラム洗濯機の駆動部の一部を示した断面図である。
【図２】本発明の一実施例に係るドラム洗濯機の駆動部の一部を示した断面図である。
【発明を実施するための形態】
【００２０】
以下、添付された図面を参照して、本発明に係るドラム洗濯機の一実施例を説明する。この過程で図面に示した線の厚さや構成要素の大きさなどは、説明の明瞭性と便宜のために誇張されて示されることがある。また、後述する各用語は、本発明での機能を考慮して定義された用語で、これは、使用者及び運用者の意図または慣例によって変わり得る。したがって、これら用語は、本明細書の全般的な内容に基づいて定義されるべきである。
【００２１】
図２は、本発明の一実施例に係るドラム洗濯機の駆動部の一部を示した断面図である。
【００２２】
図２を参照すると、ドラム洗濯機は、タブ１１０、シャフト１２０、ベアリングＢ、ベアリングハウジング１３０及びベース１４０を備えている。
【００２３】
本実施例のドラム洗濯機においては、外形をなすハウジング（図示せず）の内部にタブ１１０が設置され、タブ１１０の内側には、洗濯物が積載されるドラム１５０が回転可能に設置される。
【００２４】
シャフト１２０は、モーター（図示せず）の駆動力をドラム１５０に伝達するようにドラム１５０と軸によって連結される。ベアリングＢは、シャフト１２０の外側に位置してシャフト１２０を支持し、ベアリングハウジング１３０はベアリングＢを支持する。ベアリングハウジング１３０は、タブ１１０の後壁部に形成される。ベアリングハウジング１３０は、タブ１１０の射出成形時にインサート射出によって成形され、ベアリングハウジング１３０は、タブ１１０と同一の材質でインサート射出によって成形されるか、またはタブ１１０と異なる材質で成形される。ここで、ベアリングハウジング１３０は、その後端部がタブ１１０の後壁部から突出されるように射出される。ベアリングハウジング１３０とタブ１１０は、同一の材質でインサートされる場合、それぞれの融点が同一であるので、射出過程で一体型に成形される。また、他の実施例として、タブ１１０がプラスチック材質で成形され、ベアリングハウジング１３０がアルミニウム合金などの金属材質で成形されることもある。本実施例において、ベアリングハウジング１３０及びタブ１１０は、それぞれプラスチック、金属及び金属合金のうち少なくとも何れか一つの材質で成形されることが好ましい。
【００２５】
タブ１１０は、ベアリングハウジング１３０の後端部１３４の外周面（端面）１３２に対向するように形成される延長部１１１を含む。延長部１１１は、ベアリングハウジング１３０の後端部１３４の端面１３２に密着されることが好ましい。このとき、延長部１１１は、ベアリングハウジング１３０の後端部１３４の端面１３２の全領域で密着されるか、または一部領域のみで密着される。このように延長部１１１が後端部１３４の外周とベアリングハウジング１３０の後端部１３４の端面１３２に対向するように構成されることで、タブ１１０とベアリングハウジング１３０との接触部分が延長部１１１の広さだけ広くなり、ベアリングハウジング１３０を通して伝達される振動を分散させることができ、ベアリングハウジング１３０に対する支持力を確保することができる。このようにベアリングハウジング１３０に伝達される振動を分散させることで、長期間使用する場合にも、ベアリングハウジング１３０やタブ１１０における破損発生を防止することができる。
【００２６】
また、延長部１１１は、その端部に少なくともベアリングハウジング１３０の後端部１３４の端面１３２部分を取り囲むように形成された屈曲部１１２を備えている。この延長部１１１の屈曲部１１２は、ベアリングハウジング１３０とタブ１１０との間に埃や水分が投入されることを防止することができる。
【００２７】
ベース１４０は、締結部材（図示せず）などによってタブ１１０に固定され、ベース１４０の後端部１４２は、延長部１１１の外周面に対向するように形成される。ベース１４０の後端部１４２は、延長部１１１の屈曲部１１２をカバーするように延長されない。ベース１４０の後端部１４２は、ベアリングハウジング１３０と直接接触しないように形成され、ベアリングハウジング１３０を通して伝達される振動を分散し、延長部１１１を支持するように、延長部１１１の外周面に密着されることが好ましい。このとき、ベース１４０の後端部１４２は、延長部１１１の外周面の全領域で密着されるか、または一部領域のみで密着される。また、ベース１４０の後端部１４２が延長部１１１と対向するように形成されることで、従来のベース４０に比べてベース１４０の屈曲部の面積を減少させることができ、ベース１４０の設置及び結合を容易にすることができる。そして、ベース１４０の形状が簡単に構成されることで、生産性を向上させることができる。また、振動などによってタブ１１０とベアリングハウジング１３０との間に隙間が発生したり、ベアリングハウジング１３０がタブ１１０から離脱される問題を防止するために、タブ１１０の延長部１１１とベアリングハウジング１３０の後端部には、その結合部位に突出部及び凹部が備わることが好ましい。射出成形時、突出部や凹部に射出物が流入するので、タブ１１１とベアリングハウジング１３０との締結力を向上させることができる。
【００２８】
また、ベアリングハウジング１３０及びタブ１１０は、インサート射出によって成形されるが、ベース１４０は、別途に製造されてタブ１１０の屈曲部位に結合される。したがって、ベース１４０の形状が単純になることで、歪みなどによる製造時の不良発生を減少させることができる。また、歪みなどによるベース１４０の製造時の不良発生のみならず、タブ１１０の形状との不一致による不良品の発生確率を減少させることで、生産費を節減することができ、生産性を向上させることができる。
【００２９】
本発明は、図面に示した実施例を参考にして説明されたが、これは、例示的なものに過ぎなく、当該技術分野で通常の知識を有する者であれば、これから多様な変形及び均等な他の実施例が可能であることを理解するであろう。したがって、本発明の真の技術的保護範囲は、下記の特許請求の範囲によって定められるべきである。
【図１】
2010508882.tif 000003
【図２】
2010508882.tif 000004
【国際調査報告】
2010508882.tif 000005
2010508882.tif 000006